(57)【要約】【課題】開閉カバーが無理に大きく開かれるとケースから外れて、連結機構の破損を有効に防止する。子供から大人まであらゆるユーザーが便利に使用する。【解決手段】充電器は、電池９を脱着できるように収納する収納部４を有するケース１と、このケース１の収納部４を開閉するようにケース１に連結している開閉カバー２と、収納部４にセットされた電池を充電する充電回路とを備える。さらに、充電器は、開閉カバー２を傾動できるように連結する連結軸１０をケース１に設けると共に、開閉カバー２にはケース１の連結軸１０を回転できるように案内して、ケース１に傾動できるように連結する軸穴２２を設けている。この充電器は、開閉カバー２を連結している連結軸１０に、開閉カバー２を外す傾斜面１０Ａを設けており、開閉カバー２２が最大開口角よりも大きく開かれると、ケース１から外れるようにしている。【選択図】図９
2005130678.tif 000002
【特許請求の範囲】
【請求項１】
電池(9)を脱着できるように収納する収納部(4)を有するケース(1)と、このケース(1)の収納部(4)を開閉するようにケース(1)に連結している開閉カバー(2)と、収納部(4)にセットされた電池(9)を充電する充電回路とを備える充電器であって、
開閉カバー(2)を傾動できるように連結する連結軸(10)をケース(1)に設け、開閉カバー(2)にはケース(1)の連結軸(10)を回転できるように案内して、ケース(1)に傾動できるように連結する軸穴(22)を設けており、開閉カバー(2)を連結している連結軸(10)が、開閉カバー(2)を外す傾斜面(10A)を設けており、開閉カバー(2)が最大開口角よりも大きく開かれると、ケース(1)から外れるようにしてなる充電器。
【請求項２】
ケース(1)の両側に一対の連結軸(10)を設けており、開閉カバー(2)が両側に側壁(20)を設けて、側壁(20)の内面に軸穴(22)を設けている請求項１に記載される充電器。
【請求項３】
開閉カバー(2)が側壁(20)の端部に係止壁(24)を有すると共に、ケース(1)は両側に互いに平行な回動面(11)を設けており、この回動面(11)には、開閉カバー(2)の係止壁(24)の移動軌跡に、開閉カバー(2)を所定の開き角度に停止するストッパ凸部(17)を設けている請求項１に記載される充電器。
【請求項４】
回動面(11)に複数のストッパ凸部(17)を設けている請求項３に記載される充電器。
【請求項５】
最大開口角よりも開かれる開閉カバー(2)が、ストッパ凸部(17)に当接する係止壁(24)を支点として傾動し、軸穴(22)を連結軸(10)の傾斜面(10A)に沿ってスライドさせてケース(1)から外れるようにしてなる請求項３に記載される充電器。
【発明の詳細な説明】
【技術分野】
【０００１】
本発明は、電池をセットする収納部の開口部を閉塞する開閉カバーを有する充電器に関する。
【背景技術】
【０００２】
開閉カバーのある充電器は開発されている。（特許文献１参照）
【特許文献１】特開２００３−１６８４８６号公報
【０００３】
この公報に記載される充電器は、図１に示すように、ケース６１の両側に連結軸６３を突出して設け、この連結軸６３に回転できるように開閉カバー６２の軸穴を入れて連結している。開閉カバー６２は、電池６９をセットして充電する状態で閉じられる。電池６９を出し入れするときに開閉カバー６２は開かれる。この充電器は、開閉カバーで充電する電池を収納部の定位置にセットすることができる。また、充電している電池にユーザーが手で直接に接触するのを防止して、安全に充電できる特徴がある。さらに、充電している電池から仮に液が漏れても、これが外部に漏れるのを防止できる特徴もある。
【発明の開示】
【発明が解決しようとする課題】
【０００４】
開閉カバーは、電池を出し入れするときに開かれるが、誤って強く開かれることがある。とくに、ゲーム機の電池の充電器のように、主として子供が使用する充電器は、誤って開閉カバーが無理に大きく開かれることがある。開閉カバーが無理に開かれると、これを連結しているケースの連結軸や、この連結軸を連結している開閉カバーの局部が破損することがある。この状態になると、開閉カバーを正常にケースに連結できなくなって使用できなくなる欠点がある。
【０００５】
この欠点は、連結軸を短くし、あるいは連結軸を入れている軸穴を浅くして、開閉カバーを外れやすくして解消できる。しかしながら、この構造によると、正常に使用する状態、すなわち正常な位置で開閉カバーを開閉するときにケースから外れやすくなって便利に使用できない欠点がある。
【０００６】
本発明は、このような欠点を解決することを目的に開発されたものである。本発明の重要な目的は、開閉カバーが無理に大きく開かれるとケースから外れて、連結機構の破損を有効に防止でき、子供から大人まであらゆるユーザーが便利に使用できる充電器を提供することにある。
【課題を解決するための手段】
【０００７】
本発明の充電器は、電池９を脱着できるように収納する収納部４を有するケース１と、このケース１の収納部４を開閉するようにケース１に連結している開閉カバー２と、収納部４にセットされた電池を充電する充電回路とを備える。さらに、充電器は、開閉カバー２を傾動できるように連結する連結軸１０をケース１に設けると共に、開閉カバー２にはケース１の連結軸１０を回転できるように案内して、ケース１に傾動できるように連結する軸穴２２を設けている。この充電器は、開閉カバー２を連結している連結軸１０に、開閉カバー２を外す傾斜面１０Ａを設けており、開閉カバー２２が最大開口角よりも大きく開かれると、ケース１から外れるようにしている。
【０００８】
本発明の請求項２の充電器は、ケース１の両側に一対の連結軸１０を設けており、開閉カバー２の両側に側壁２０を設けて、側壁２０の内面に軸穴２２を設けている。本発明の請求項３の充電器は、開閉カバー２が側壁２０の端部に係止壁２４を有すると共に、ケース１の両側に互いに平行な回動面１１を設けている。この回動面１１は、開閉カバー２の係止壁２４の移動軌跡に、開閉カバー２を所定の開き角度に停止するストッパ凸部１７を設けている。さらに、本発明の請求項４の充電器は、回動面１１に複数のストッパ凸部１７を設けている。さらにまた、請求項５の充電器は、最大開口角よりも開かれる開閉カバー３が、ストッパ凸部１７に当接する係止壁２４を支点として傾動し、軸穴２２を連結軸１０の傾斜面１０Ａに沿ってスライドさせてケース１から外れるようにしている。
【発明の効果】
【０００９】
本発明の充電器は、開閉カバーが無理に大きく開かれるとケースから外れて、連結機構の破損を有効に防止できる特長がある。それは、本発明の充電器が、電池の収納部を開閉する開閉カバーを傾動できるように連結する連結軸をケースに設けると共に、開閉カバーにはケースの連結軸を回転できるように案内する軸穴を設けており、連結軸に開閉カバーを外す傾斜面を設けて、開閉カバーが最大開口角よりも大きく開かれると、ケースから外れるようにしているからである。この充電器は、開閉カバーが無理に大きく開かれると、連結軸に連結された開閉カバーの軸穴が傾斜面に沿って移動して、無理なくケースから外れる構造としている。このため、子供から大人まであらゆるユーザーが使用する状態においても、連結機構が破損されるのを有効に防止して便利に使用できる。
【発明を実施するための最良の形態】
【００１０】
以下、本発明の実施例を図面に基づいて説明する。ただし、以下に示す実施例は、本発明の技術思想を具体化するための充電器を例示するものであって、本発明は充電器を以下のものに特定しない。
【００１１】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００１２】
図２ないし図８に示す充電器は、電池を脱着できるように収納する収納部４を有するケース１と、このケース１に、収納部４を開閉するように連結している開閉カバー２と、開閉カバー２のロック状態を解除するようにケース１に設けているロック解除レバー３を備えている。
なお、この実施例における充電器は、とくにことわらない限りは、図２、図４及び図５に示す中心線ｍを対称の軸として、左右対称に構成している。したがって、対称の軸である中心線ｍの片側に存在する各構成要素は、線対称の位置である反対側にも存在して同様のはたらきをするものとしてその説明を省略する。
【００１３】
ケース１は、下ケース１Ｂと、この下ケース１Ｂに連結している上ケース１Ａとからなる。下ケース１Ｂと上ケース１Ａはプラスチックの成形品である。下ケース１Ｂは、平面形状を長方形とし、その周囲に周壁を一体的に成形して設けている。下ケース１Ｂは、周壁の内側に、充電回路を実現する電子部品を実装する回路基板５を収納している。上ケース１Ａは上面を電池の収納部４としている。充電器は、複数の円筒型電池を平行に水平に並べて装着する。図の充電器は、２本の円筒型電池を水平に横２列に並べて収納する収納部４を上ケース１Ａの上面に設けている。上ケース１Ａの収納部４は、円筒型電池を定位置に嵌入して装着するセット溝４０を設けている。セット溝４０は、上面を円筒型電池の外側面に沿う湾曲面としている。
【００１４】
上ケース１Ａは、収納部４の両端に、第１の突出部１ａと第２の突出部１ｂを設けている。第２の突出部１ｂには、円筒型電池の平面電極に弾性的に押圧される弾性端子６を設けている。弾性端子６は弾性変形できる金属線で、図６に示すように、第２の突出部１ｂから収納部４に弾性的に突出している。図の弾性端子６は、中央を突出させる山形に金属線を折曲している。
【００１５】
さらに、第２の突出部１ｂは、図８と図９に示すように、開閉カバー２を傾動できるように連結する連結軸１０を設けている。連結軸１０は、第２の突出部１ｂの両側に一体的に成形して設けられる。この連結軸１０は、開閉カバー２の側壁２０の連結部２１の内面に設けている軸穴２２に案内されて、開閉カバー２を傾動できるように連結する。したがって、第２の突出部１ｂの両側に設けている一対の連結軸１０は、互いに直線上に配置されている。
【００１６】
上ケース１Ａは、図８と図９に示すように、第２の突出部１ｂの両側であって、連結軸１０を設けている部分に、開閉カバー２の側壁２０の連結部２１を連結する互いに平行な回動面１１を設けている。さらに、第２の突出部１ｂは、上面から両側面に向かって、開閉カバー２の端縁部分を嵌入するための低段差部１２を設けている。低段差部１２は、開閉カバー２を閉じる状態で、ここに嵌入される開閉カバー２の端縁部分の厚さにほぼ等しくしている。この充電器は、図３に示すように、開閉カバー２を閉じる状態で、開閉カバー２の上面と第２の突出部１ｂの上面を同一面にできる。さらに、この低段差部１２には、充電器の使用状態を示すパイロットランプ５０の光を外部に照射する光窓１３を開口している。
【００１７】
第１の突出部１ａは、図８と図１０に示すように、電池の凸部電極に接触させる金属端子７を固定している。この金属端子７は、電池の収納部４に表出するように、第１の突出部１ａに固定される。弾性端子６と金属端子７は、図１１と図１２に示すように、ケース１に内蔵される回路基板５に固定されて、ケース１の端子窓４１、４２から収納部４に表出している。
【００１８】
さらに、第１の突出部１ａには、ロック解除レバー３のツマミ部３０を外部に表出する開口窓１４を上面から端部に向かって開口している。開口窓１４は、図４に示すように、下ケース１Ｂにも設けている。上ケース１Ａと下ケース１Ｂの開口窓１４は、周壁の対向する位置に設けられ、上ケース１Ａと下ケース１Ｂとを連結する状態では、互いに連結されてひとつの開口窓１４となる。
【００１９】
さらに、第２の突出部１ｂには、外部から電源を供給するためのプラグ５１を連結するための挿入窓４８を設けている。この挿入窓４８は、図９に示すように、第２の突出部１ｂの端面であって、上ケース１Ａと下ケース１Ｂの周壁の対向する位置に設けている。この挿入窓４８も、上ケース１Ａと下ケース１Ｂとを連結する状態では、互いに連結されてひとつの挿入窓４８となる。挿入窓４８の内側には、図１１に示すように、プラグ５１が連結されるソケット５２を配設している。このソケット５２は回路基板５に固定しており、プラグ５１が接続される電源端子５３を挿入窓４８に表出している。図８に示すように、挿入窓４８から挿入されるプラグ５１がソケット５２に連結される状態で、外部から充電器に電源が供給される。
【００２０】
さらに、上ケース１Ａは、図８の開閉カバー２を外した平面図に示すように、ロック解除レバー３の押出凸部３１を、収納部４に突出させる押出開口４３を設けている。この押出開口４３は、セット溝４０の底部に開口されている。押出開口４３から収納部４に突出する押出凸部３１は、セット溝４０に装着される電池を押し上げて取り出しやすくする。
【００２１】
さらに、上ケース１Ａは、開き凸部３２を収納部４に突出させる開き開口４４も設けている。開き開口４４は、開閉カバー２を開くためにロック解除レバー３に設けている開き凸部３２を収納部４に突出させる。開き開口４４は、図８と図１０に示すように、セット溝４０の間で山形に突出する中間突出部４５に開口している。
【００２２】
さらにまた、上ケース１Ａの第１の突出部１ａには、ロック凸部３３を突出させるロック開口１５を設けている。ロック開口１５は、第１の突出部１ａの収納部４と対向する面に開口している。図１０ないし図１４に示すロック解除レバー３は、一対のロック凸部３３を備えるので、第１の突出部１ａには一対のロック開口１５を設けている。ロック凸部３３は、ロック解除レバー３に一体的に成形して設けられ、開閉カバー２を閉じる状態で、開閉カバー２のロック係止部２３に案内されて、開閉カバー２を閉じる状態に保持する。図に示す第１の突出部１ａは、上部に段差凹部１６を設けて、段差凹部１６にロック凸部３３が突出するようにロック開口１５を設けている。
【００２３】
上ケース１Ａは、下ケース１Ｂに連結する係止フック（図示せず）を一体的に成形して設けている。係止フックは、下ケース１Ｂの周壁内面に向かって突出して、周壁内面に設けている係止凹部（図示せず）に係止される。係止フックが上ケース１Ａを下ケース１Ｂに連結するケース１は、簡単に連結できる。ただし、上ケースと下ケースは、周壁を溶着し、あるいは接着し、あるいはまた溶着と接着と係止フックによる連結を組み合わせる構造で連結することもできる。
【００２４】
第１の突出部１ａと第２の突出部１ｂは、開閉カバー２を閉じる状態で、開閉カバー２の表面と同じ面となる湾曲した形状に成形している。
【００２５】
開閉カバー２は、透明のプラスチックを成形して製作される。この開閉カバー２は、収納部４の上面開口部を開閉する形状で、上ケース１Ａに傾動できるように連結される。開閉カバー２は、図７の横断面図と図１５の底面斜視図に示すように、両側を円筒型電池の表面に沿う形状に湾曲させて、両側に側壁２０を設けている。側壁２０の端部には、ケース１に回動できるように連結する一対の連結部２１を突出して設けている。一対の連結部２１は、その内面の対向する位置に、軸穴２２を設けている。側壁２０の連結部２１に設けている軸穴２２は、ケース１に設けている連結軸１０を回転できるように案内して、開閉カバー２を傾動できるようにケース１に連結する。図１５の開閉カバー２は、軸穴２２の周囲に突出するリブ２９を設け、このリブ２９の内側に軸穴２２を設けている。
【００２６】
さらに、開閉カバー２は、側壁２０の連結部２１の端縁に係止壁２４を一体的に成形して設けている。係止壁２４は、ケース１の回動面１１に設けているストッパ凸部１７に係止されて、開閉カバー２の開き角度を、図１６に示す複数位置で停止させる。開閉カバー２を複数の開き角度で停止させるために、ケース１は、図９に示すように、複数のストッパ凸部１７を設けている。ストッパ凸部１７は、開閉カバー２の係止壁２４に係止されるので、係止壁２４の移動軌跡に一定の間隔離されて配設される。図のケース１は、第１〜第３のストッパ凸部１７を設けているので、開閉カバー２を３つの位置で停止できる。閉じた開閉カバー２を開くと、係止壁２４が第１のストッパ凸部１７Ａに当接する位置で停止される。さらに、強い力で開閉カバー２が開かれると、連結部２１が弾性変形して、係止壁２４が第１のストッパ凸部１７Ａを越える。この状態で、開閉カバー２は停止位置からさらに開くことができる。第１のストッパ凸部１７Ａを越えて開かれる開閉カバー２は、係止壁２４が第２のストッパ凸部１７Ｂに当接する位置で停止される。この状態から、さらに開閉カバー２が強く開かれると、連結部２１が弾性変形して係止壁２４が第２のストッパ凸部１７Ｂを越え、図１７に示すように、係止壁２４が最後の第３のストッパ凸部１７Ｃに当接する位置で停止される。係止壁２４が最後のストッパ凸部１７に当接する状態における開閉カバー２の開口角が最大開口角である。
【００２７】
図９のケース１は、最後に係止壁２４が当接する第３のストッパ凸部１７Ｃを、第１のストッパ凸部１７Ａと第２のストッパ凸部１７Ｂよりも大きくしている。このため、開閉カバー２は、係止壁２４を第３のストッパ凸部１７Ｃに当接させる位置まで開かれると、この状態からさらに開かれるのを強い力で阻止する。係止壁２４が最後の第３のストッパ凸部１７Ｃに当接する状態で、さらに強い力で開閉カバー２が開かれると、すなわち、開閉カバー２が最大開口角よりも開かれると、開閉カバー２がケース１から外れるようにしている。このことを実現するために、ケース１に設けている連結軸１０の先端面を傾斜面１０Ａとしている。傾斜面１０Ａは、図において下から上に向かって下り勾配に傾斜するようにしている。この形状の連結軸１０は、係止壁２４を最後の第３のストッパ凸部１７Ｃに当接している開閉カバー２がさらに開かれると、軸穴２２のリブ２９が連結軸１０の傾斜面１０Ａに沿って移動すると共に、連結部２１が弾性変形して連結軸１０を開閉カバー２の軸穴２２の外部に出して、開閉カバー２をケース１から外す。
【００２８】
開閉カバー２がケース１から外れる機構を、図１７ないし図１９を用いて以下に説明する。
(1)  図１７に示す開閉カバー２は最大開口角まで開かれており、係止壁２４は最後の第３のストッパ凸部１７Ｃに当接している。この状態から、開閉カバー２を矢印Ａで示す方向にさらに開こうとすると、連結軸１０を中心として回動しようとする開閉カバー２の係止壁２４が、図１８の矢印Ｃで示すように、第３のストッパ凸部１７Ｃを押圧する。
(2)  第３のストッパ凸部１７Ｃを押圧する開閉カバー２は、その反動で、係止壁２４と第３のストッパ凸部１７Ｃとの接触部分を支点として矢印Ａで示す方向に傾動しようとする。このとき、軸穴２２は、連結軸１０の傾斜面１０Ａに沿って移動する。すなわち、軸穴２２のリブ２９が図１８の矢印Ｂで示す方向に移動して、連結軸１０の傾斜面１０Ａに沿って競り上がる。
(3)  軸穴２２のリブ２９が連結軸１０の傾斜面１０Ａに沿って競り上がると、開閉カバー２の一対の連結部２１は、図１９の矢印Ｄで示す方向に弾性変形して、先端が開く状態となる。このとき、連結部２１の先端の係止壁２４は、第３のストッパ凸部１７Ｃに沿って競り上がる。
とくに、図に示す第３のストッパ凸部１７Ｃは、係止壁２４と当接する側の先端部を傾斜面１７ａとしているので、この傾斜面１７ａに沿ってスムーズに競り上がる状態となる。
(4)  係止壁２４が第３のストッパ凸部１７Ｃの傾斜面１７ａに沿って競り上がると、連結部２１がさらに弾性変形して開かれて、軸穴２２を設けた部分がさらに開かれる。
(5)  一対の軸穴２２の間隔が広がると、軸穴２２のリブ２９は、傾斜面１０Ａに沿ってよりスムーズに競り上がる状態となる。
以上のようにして、軸穴２２が連結軸１０から外れて、開閉カバー２がケース１から外れる。このようにして、開閉カバー２が強い力で開かれるとき、開閉カバー２がケース１から外れる構造は、開閉カバー２やその連結機構部が破損するのを有効に防止する。
【００２９】
図に示す第３のストッパ凸部１７Ｃは、係止壁２４と当接する側（図１８において左下側）の先端部に傾斜面１７ａを設けており、この傾斜面１７ａに沿って係止壁２４を移動させて、一対の連結部２１を開く方向に弾性変形しやすくしている。ただ、第３のストッパ凸部は、必ずしも係止壁と当接する上部に傾斜面を設ける必要はない。それは、第３のストッパ凸部に係止壁が当接する状態において、開閉カバーを回動させると、軸穴のリブが連結軸の傾斜面に沿って競り上がって、軸穴が連結軸から外れるからである。
【００３０】
さらに、ケース１から外れた開閉カバー２は、側壁２０の連結部２１を弾性変形させて、軸穴２２に連結軸１０を案内して簡単に取り付け直しできる。開閉カバー２は、たとえば図２０に示すように、連結部２１とは反対側の先端縁を、収納部４の第１の突出部１ａ側の開口縁に位置させる状態で、側壁２０の連結部２１を矢印Ｅで示すように上から下に移動させてケース１に連結できる。とくに、図に示すように、上に向かって下り勾配に傾斜する傾斜面１０Ａを有する連結軸１０は、上から下に側壁２０の連結部２１を移動させることで、スムーズに軸穴２２に連結軸１０を入れて連結できる。
【００３１】
さらに、図の開閉カバー２は、ケース１の収納部４を閉塞する状態で、確実に定位置に連結されるように、軸穴２２を設けている端部側の内面に、係止凸部２５を設けている。開閉カバー２を閉じる状態で、この係止凸部２５を案内して係止するストッパ凹部１８をケース１の側面に設けている。図の開閉カバー２は、係止凸部２５を側壁２０の側縁に設けており、ケース１には、この係止凸部２５を案内する位置にストッパ凹部１８を設けている。この開閉カバー２は、係止凸部２５をストッパ凹部１８に係止して、クリック状態で閉塞される。
【００３２】
さらに、開閉カバー２に設けられる係止凸部２５は、ロック解除レバー３を操作して開かれた開閉カバー２を、開状態に保持するはたらきもする。ロック解除レバー３をロック位置から解除位置に操作して開かれる開閉カバー２は、図２１に示すように、第１の突出部１ａ側の先端部がわずかに開かれる。このとき、係止凸部２５は、ストッパ凹部１８との係止状態が解除されて上昇し、上ケース１Ａの側面に当接して静止する。その後、ロック解除レバー３が解除位置からロック位置に復帰しても、係止凸部２５がケース１の側面に当接して、ロックカバー２は開状態に保持される。図１７と図２２に示す上ケース１Ａは、ストッパ凹部１８の上方に、開状態の開閉カバー２の係止凸部２５を案内する保持凹部１９を設けている。この保持凹部１９は、ストッパ凹部１８のように、係止凸部２５をクリック状態で係止するのではなく、係止凸部２５を当接させる状態で静止させて、開閉カバー２を開状態に保持するものである。ただ、この保持凹部は必ずしも必要なく、係止凸部を上ケースの側面に当接させて停止することもできる。開閉カバー２は、ロック解除レバー３を操作して先端が開いた状態では、図２２に示すように、係止凸部２５がストッパ凹部１８から外れて上方に移動し、保持凹部１９で停止する。この状態で、開閉カバー２は、図１８に示すように、先端がわずかに開かれた開状態に保持される。開閉カバー２の停止位置は、係止凸部２５の突出量と保持凹部１９の位置及び深さで決定される。このように、ロック解除レバー３を操作して開かれた開閉カバー２を開状態に保持する構造は、開閉カバー２の開かれた部分を持って便利に開くことができる。
【００３３】
さらに、図８に示す開閉カバー２は、収納部４の上方に位置する上面に放熱穴４９を開口している。この放熱穴４９は、収納部４に装着されて充電される電池９から発生する熱を外部に放熱する。図の開閉カバー２は、放熱穴４９を円形状としているが、放熱穴はスリット状とすることもできる。さらに図の開閉カバー２は、複数の放熱穴４９を開口しており、収納部４内の空気を効率よく外部に排気して放熱できるようにしている。
【００３４】
さらに、図の充電器は、開閉カバー２が収納部４を閉じる状態で、開閉カバー２をロック状態に停止するために、図１５と図２３に示すように、ロック係止部２３を設けている。ロック係止部２３は、軸穴２２の反対側の端部に設けられる。図の開閉カバー２は、内面に突出するロックリブ２６を一体的に成形して設け、このロックリブ２６の下端に凸部を設けてロック係止部２３としている。このロック係止部２３は、ロック解除レバー３に設けているロック凸部３３が係止されて、開閉カバー２を閉じる状態にロックする。図の開閉カバー２は、内面の両側部分に一対のロック係止部２３を設けて、各々のロック係止部２３にロック解除レバー３のロック凸部３３を係止する。
【００３５】
さらに、開閉カバー２は、ロック解除レバー３でスムーズに開かれるように、内面に突出して、押開きリブ２７を一体的に成形して設けている。この押開きリブ２７も軸穴２２の反対側の端部に設けている。図の開閉カバー２は、内面の中央に押開きリブ２７を設けている。押開きリブ２７は、図２１に示すように、ロック解除レバー３に設けている開き凸部３２に押されて、開閉カバー２を強制的に開くもので、開き凸部３２との接触面を傾斜摺動面２７Ａとしている。傾斜摺動面２７Ａは、軸穴２２から離れるにしたがって突出方向に傾斜している。この押開きリブ２７は、ロック解除レバー３の開き凸部３２が押し上げられると、傾斜摺動面２７Ａが傾斜して開閉カバー２を次第に押し上げて開くことができる。
【００３６】
さらに、開閉カバー２の側壁２０は、図２ないし図４、図６及び図１５に示すように、連結部２１の反対側の端部両側に突出してツマミ凸部２８を設けている。この開閉カバー２は、ツマミ凸部２８を指でつかんでスムーズに開くことができる。
【００３７】
ロック解除レバー３は、全体をプラスチックで一体的に成形している。ロック解除レバー３は、これを操作しないロック位置にあっては、収納部４を閉塞する位置にある開閉カバー２を開かないようにロック状態とする。ロック解除レバー３がロック位置から解除位置に移動されると、開閉カバー２のロック状態を解除すると共に、電池を収納部４から押し出して取り出しやすくする。さらに、図２１のロック解除レバー３は、ロック状態を解除した開閉カバー２を多少開いて、これを開きやすくしている。ただ、本発明の充電器は、ロック解除レバーで必ずしもロック状態を解除した開閉カバーを開く必要はない。
【００３８】
以上の動作をするロック解除レバー３は、ケース１に回転できるように連結する回転軸３４と、操作されない状態ではロック位置に停止させる押圧部３５と、回転軸３４を中心に回動されて、ロック位置から解除位置に移動されて開閉カバー２のロック状態を解除するロック凸部３３と、収納部４に装着している電池を押す押出凸部３１と、ロック状態の解除された開閉カバー２を開く開き凸部３２と、ケース１の開口窓１４から外部に表出されるツマミ部３０とを備える。
【００３９】
図１０ないし図１４のロック解除レバー３は、回転軸３４を中心に回動して、ロック状態を解除して電池を押し出すようにしている。この構造のロック解除レバー３は、簡単な構造で確実に動作できる特長がある。ただ、本発明の充電器は、必ずしもロック解除レバーを回転させて前述の動作をさせる必要はない。図示しないが、ロック解除レバーは、往復運動してロック状態を解除して電池を押し出すこともできる。
【００４０】
図のロック解除レバー３は、第１の突出部１ａの湾曲する内面を摺動して、ケース１の開口窓１４を内面から閉塞する摺動プレート部３６を設け、この摺動プレート部３６から突出して、開口窓１４の内部で上下に移動するようにツマミ部３０を設けている。開口窓１４を設けている第１の突出部１ａの内面は、そのほぼ全体を、図２１に示すように、回転軸３４を中心とする断面視において円弧状に湾曲する形状としている。摺動プレート部３６は、この湾曲面に沿う形状として、開口窓１４の内面を摺動して移動できるようにしている。
【００４１】
摺動プレート部３６は、その内側に突出するように対向壁３７を一体的に成形して設け、この対向壁３７の両側に突出して一対の回転軸３４を設けている。回転軸３４は、摺動プレート部３６の湾曲する円弧状の中心に位置する。一対の回転軸３４は直線状に配置される。ロック解除レバー３は、この回転軸３４を中心に傾動して、ロック位置から解除位置に移動される。ケース１は、図１０ないし図１４と図２３に示すように、この回転軸３４を回転できるように支持する軸受リブ４６を内面に突出して設けている。軸受リブ４６は、上端に回転軸３４の受け凹部４６Ａを設けて、ここに回転軸３４を回転できるように案内している。回転軸３４を軸受リブ４６に入れているロック解除レバー３は、上に抜けるのを、上ケース１Ａで阻止している。摺動プレート部３６が、上ケース１Ａの第１の突出部１ａの開口窓１４を設けている内面を摺動して、上に移動するのが阻止されるからである。
【００４２】
ロック解除レバー３をロック位置に保持するために、ケース１に弾性的に変形する弾性リブ４７を一体的に成形して設けている。弾性リブ４７は、ケース１の内面に突出して設けられる。図のケース１は、軸受リブ４６の外側に弾性リブ４７を配設している。弾性リブ４７は板状で、その幅方向を回転軸３４の軸方向とする姿勢で、ケース１に設けている。この弾性リブ４７がロック解除レバー３を弾性的に押圧してロック位置とするために、ロック解除レバー３には、弾性リブ４７に当接して、弾性リブ４７に弾性的に押圧される押圧部３５を設けている。図のロック解除レバー３は、対向壁３７の外側面に突出して、上下に伸びる板状の押圧部３５を設けている。ロック解除レバー３がロック位置から解除位置に移動されると、弾性リブ４７がロック解除レバー３の押圧部３５を弾性的に押圧して、ロック解除レバー３を解除位置からロック位置に弾性的に復帰させるようにしている。この構造の充電器は、金属バネ等を内蔵させることなく、ロック解除レバー３を解除位置からロック位置に復帰できるので、構造を簡単にして安価にできる。
【００４３】
ロック解除レバー３は、対向壁３７の下端でその先端を電池の押出凸部３１としている。この押出凸部３１は、ロック解除レバー３がロック位置にあるときは、図２３に示すように、電池の収納部４には突出しない。ロック解除レバー３がロック位置から解除位置に操作されると、図２４に示すように、押出凸部３１はケース１に設けた押出開口４３から電池の収納部４に突出して、収納部４の電池９を押し上げて取り出しやすくする。図２４の充電器は、電池９の凸部電極側を収納部４から押し出しする位置に押出凸部３１を配設している。さらに、電池の収納部４には、電池の平面電極側を弾性的に押圧する弾性端子６を配置している。この充電器は、ロック解除レバー３を解除位置に移動させると、凸部電極側が押出凸部３１で押し出される。電池９がこの状態になると、弾性端子６が電池９を押圧して、電池９を押し出し状態に保持する。したがって、この充電器は、押出凸部３１が電池９を収納部４から押し上げると、ロック解除レバー３をロック位置に復帰させた後も、電池９は押し上げられた状態に保持されて、取り出しやすくできる。
【００４４】
ロック解除レバー３は、摺動プレート部３６の先端部で、その両側を突出させて、ロック凸部３３としている。ロック凸部３３は、ロック解除レバー３をロック位置とする状態で、ケース１のロック開口１５からケース１外に突出する。ケース１の外部に突出するロック凸部３３は、開閉カバー２のロック係止部２３に係止されて、開閉カバー２をロック状態とする。ロック解除レバー３がロック位置から解除位置に移動されると、ロック凸部３３は、ロック開口１５に引き込まれて、開閉カバー２のロック状態を解除する。
【００４５】
ロック状態が解除された開閉カバー２は、開き凸部３２で強制的に開かれる。図のロック解除レバー３は、摺動プレート部３６の下面中央にメインリブ３８を一体的に成形して設け、このメインリブ３８に開き凸部３２を設けている。開き凸部３２は、ロック解除レバー３がロック位置から解除位置に移動されると、ロック状態の解除された開閉カバー２を強制的に押し開く。この開き凸部３２は、上ケース１Ａの開き開口４４から突出して、開閉カバー２を強制的に持ち上げて開く。開き開口４４は収納部４の中央で電池の間に開口しているので、ロック解除レバー３は、開き開口４４から突出する位置に開き凸部３２を設けている。開き凸部３２は、開閉カバー２の内面の押開きリブ２７を押して、開閉カバー２を開く。開き凸部３２と押開きリブ２７は、接触面を傾斜摺動面３２Ａ、２７Ａとしている。図２１に示すように、ロック解除レバー３が開閉カバー２から解除位置に移動されて、開き凸部３２が上昇されると、傾斜摺動面２７Ａ、３２Ａが互いに摺動しながら、押開きリブ２７が押し上げられて、開閉カバー２が開かれる。このように、傾斜摺動面２７Ａ、３２Ａを摺動させながら、開閉カバー２を開く構造は、開閉カバー２をスムーズに開くことができる。
【図面の簡単な説明】
【００４６】
【図１】従来の充電器の断面図である。
【図２】本発明の一実施例にかかる充電器の平面図である。
【図３】図２に示す充電器の側面図である。
【図４】図２に示す充電器の正面図である。
【図５】図２に示す充電器の背面図である。
【図６】図２に示す充電器の開閉カバーを開いた状態を示す斜視図である。
【図７】図２に示す充電器の横断面図である。
【図８】図２に示す充電器の開閉カバーを外した状態を示す平面図である。
【図９】開閉カバーを外したケースの第２の突出部近傍を示す斜視図である。
【図１０】開閉カバーを外したケースの第１の突出部近傍を示す一部断面斜視図である。
【図１１】上ケースを外した充電器の斜視図である。
【図１２】上ケースを外した充電器のロック解除レバー近傍を示す拡大斜視図である。
【図１３】上ケースと回路基板を外した充電器の斜視図である。
【図１４】上ケースと回路基板を外した充電器のロック解除レバー近傍を示す拡大斜視図である。
【図１５】開閉カバーの底面斜視図である。
【図１６】充電器の開閉カバーの開き角度を示す側面図である。
【図１７】図３に示す充電器の開閉カバーを最大開口角まで開いた状態を示す側面図である。
【図１８】図１７に示す充電器の開閉カバーと連結軸及びストッパ凸部の位置関係を示す拡大断面図である。
【図１９】図１７に示す充電器の開閉カバーとケースの連結部分を示す平面図である。
【図２０】開閉カバーをケースに取り付ける状態を示す側面図である。
【図２１】図２に示す充電器の縦断面図であって、開き凸部で開閉カバーを押し上げる状態を示す図である。
【図２２】図２１に示す充電器の係止凸部近傍を示す横断面図である。
【図２３】図２に示す充電器の縦断面図である。
【図２４】図２に示す充電器の縦断面図であって、押出凸部で電池を押し上げる状態を示す図である。
【符号の説明】
【００４７】
１…ケース              １Ａ…上ケース          １Ｂ…下ケース
１ａ…第１の突出部      １ｂ…第２の突出部
２…開閉カバー
３…ロック解除レバー
４…収納部
５…回路基板
６…弾性端子
７…金属端子
９…電池
１０…連結軸            １０Ａ…傾斜面
１１…回動面
１２…低段差部
１３…光窓
１４…開口窓
１５…ロック開口
１６…段差凹部
１７…ストッパ凸部      １７Ａ…第１のストッパ凸部
１７Ｂ…第２のストッパ凸部
１７Ｃ…第３のストッパ凸部
１７ａ…傾斜面
１８…ストッパ凹部
１９…保持凹部
２０…側壁
２１…連結部
２２…軸穴
２３…ロック係止部
２４…係止壁
２５…係止凸部
２６…ロックリブ
２７…押開きリブ        ２７Ａ…傾斜摺動面
２８…ツマミ凸部
２９…リブ
３０…ツマミ部
３１…押出凸部
３２…開き凸部          ３２Ａ…傾斜摺動面
３３…ロック凸部
３４…回転軸
３５…押圧部
３６…摺動プレート部
３７…対向壁
３８…メインリブ
４０…セット溝
４１…端子窓
４２…端子窓
４３…押出開口
４４…開き開口
４５…中間突出部
４６…軸受リブ          ４６Ａ…受け凹部
４７…弾性リブ
４８…挿入窓
４９…放熱穴
５０…パイロットランプ
５１…プラグ
５２…ソケット
５３…電源端子
６１…ケース
６２…開閉カバー
６３…連結軸
６９…電池
【図１】
2005130678.tif 000003
【図２】
2005130678.tif 000004
【図３】
2005130678.tif 000005
【図４】
2005130678.tif 000006
【図５】
2005130678.tif 000007
【図６】
2005130678.tif 000008
【図７】
2005130678.tif 000009
【図８】
2005130678.tif 000010
【図９】
2005130678.tif 000011
【図１０】
2005130678.tif 000012
【図１１】
2005130678.tif 000013
【図１２】
2005130678.tif 000014
【図１３】
2005130678.tif 000015
【図１４】
2005130678.tif 000016
【図１５】
2005130678.tif 000017
【図１６】
2005130678.tif 000018
【図１７】
2005130678.tif 000019
【図１８】
2005130678.tif 000020
【図１９】
2005130678.tif 000021
【図２０】
2005130678.tif 000022
【図２１】
2005130678.tif 000023
【図２２】
2005130678.tif 000024
【図２３】
2005130678.tif 000025
【図２４】
2005130678.tif 000026